(57)【要約】【課題】ローラーパイプに内蔵したコイルバネの初巻きが調整可能であり、スクリーンの開閉操作性や収納具合などに優れたスクリーン装置を提供すること。【解決手段】スクリーン装置において、ローラーパイプは、コイルバネ６が巻回される回転軸５を内蔵し、かつ、回転軸の下端に接続されたステーター５１に対して回転自在に配設されたローテーター５２に接続され、回転自在とされて収納枠内に収納され、ステーターは、放射状に配置された複数の爪５３を有し、収納枠の下端に着脱自在に配設されたキャップ部材５５の下面部に、ステーターの爪に対応して放射状に配置された保持部５７が配設され、保持部は、内部に爪を受け入れる保持空間５８を有し、保持空間は、爪を受け入れる方向の一端が外方に開放され、他端は閉鎖されている。【選択図】図５
2011080273.tif 000002
【特許請求の範囲】
【請求項１】
横方向に開閉するスクリーンと、
スクリーンの左右いずれかの一端が取り付けられ、内蔵するコイルバネの弾性力によって回転し、外周にスクリーンを巻き取るローラーパイプと、
所定位置に固定されるローラーパイプに対してスクリーンの開閉方向にスライド移動可能であり、ローラーパイプに取り付けられた一端と反対側に位置するスクリーンの一端が取り付けられるスクリーン取付枠部と、
スクリーンの上端付近に配設された上スライドガイド枠部およびスクリーンの下端付近に配設された下スライドガイド枠部とを備え、
上スライドガイド枠部は、対向配置された一対の側壁部および両側壁部を相互に繋ぐ架橋部を有する第１の剛性ユニットの複数が、隣り合う２つの間で回動自在に連結されて形成され、下スライドガイド枠部は、対向配置された一対の側壁部および両側壁部を相互に繋ぐ架橋部を有する第２の剛性ユニットの複数が、隣り合う２つの間で回動自在に連結されて形成され、上スライドガイド枠部および下スライドガイド枠部はともに、屈曲性を有し、一端が自由端とされてスクリーン取付枠部内に収納および引き出し可能とされる一方、スクリーン取付枠部のスライド移動にともなってスクリーン取付枠部から引き出されたときに、スクリーン取付枠部から引き出された部分は直線性を保持するスクリーン装置であって、
ローラーパイプは、コイルバネが巻回される回転軸を内蔵し、かつ、回転軸の下端に接続されたステーターに対して回転自在に配設されたローテーターに接続され、回転自在とされて収納枠内に収納され、
ステーターは、放射状に配置された複数の爪を有し、
収納枠の下端に着脱自在に配設されたキャップ部材の下面部に、ステーターの爪に対応して放射状に配置された保持部が配設され、保持部は、内部に爪を受け入れる保持空間を有し、保持空間は、爪を受け入れる方向の一端が外方に開放され、他端は閉鎖されている
ことを特徴とするスクリーン装置。
【請求項２】
第１の剛性ユニットの大きさが第２の剛性ユニットの大きさよりも小さく、上スライドガイド枠部と下スライドガイド枠部がスクリーン取付枠部内に収納されるとき、第１の剛性ユニットの側壁部が第２の剛性ユニットの側壁部の間の内側に入り込み、上スライドガイド枠部がスクリーン取付枠部内で下スライドガイド枠部と交差することを特徴とする請求項１に記載のスクリーン装置。
【請求項３】
キャップ部材には、下スライドガイド枠部を連結する固定部が配設され、固定部は、下スライドガイド枠部を形成する第２の剛性ユニットに対応し、対向配置された一対の側壁部および両側壁部を相互に繋ぐ架橋部を有していることを特徴とする請求項１または２に記載のスクリーン装置。
【発明の詳細な説明】
【技術分野】
【０００１】
本発明は、カーテン、ブラインドをはじめ、網戸や間仕切りなどとして用いることのできるスクリーン装置に関する。
【背景技術】
【０００２】
多用途のスクリーン装置について、本出願人は、下記特許文献１に記載したものを提供している。また、本出願人は、上記スクリーン装置を基本としていくつかのバリエーションを展開してもいる。
【０００３】
いずれのスクリーン装置も、スクリーンの開閉方向に展出および収納されるスライドガイド枠を一対備えている。スライドガイド枠は、複数の剛性ユニットが、隣り合う２つの間で回動自在に連結されて形成され、一方向には屈曲可能であるが、他方向には屈曲せず、直線性を保持することができる。
【０００４】
また、下記特許文献２に記載したスクリーン装置では、コイルバネを内蔵したローラーパイプが配設され、スクリーンの一端部をそのローラーパイプに固定し、開閉時にスクリーンをローラーパイプの周りに巻き取り、また、引き出すことができるようにし、スムーズで安定な開閉操作を実現している。
【先行技術文献】
【特許文献】
【０００５】
【特許文献１】特許第３３２３４６１号公報
【特許文献２】特開２００５−３５１０４６号公報
【発明の概要】
【発明が解決しようとする課題】
【０００６】
特許文献２に記載したスクリーン装置は、その優れた開閉操作性や施工性などから汎用されているが、ローラーパイプの回転力は、巻き取るスクリーンの大きさ、構造、形状などに応じて適切に制御することが必要とされる。ローラーパイプの回転力は、ローラーパイプに内蔵されるコイルバネに発生する弾性力を動力源とするものであり、従来、スクリーン装置の製造工場においてコイルバネに初巻きと称してあらかじめねじりを加え、適度な大きさの弾性力を発現させている。
【０００７】
しかしながら、スクリーン装置が設置される建物の開口部の大きさは、ある程度規格化されているとはいえ幾つかあり、また、開口部などの大きさは建物の建付け具合などによって微妙に異なる場合が多い。
【０００８】
このため、製造工場であらかじめ付与したコイルバネの初巻きを施工現場において調整することができれば、現場対応可能であり、スクリーンの開閉操作性や収納具合などに優れたスクリーン装置を提供することができると期待される。従来、特許文献２に記載したスクリーン装置と類するスクリーン装置において、ローラーパイプに内蔵したコイルバネの初巻きが調整可能なものは提供されていない。
【０００９】
本発明は、以上の通りの事情に鑑みてなされたものであり、ローラーパイプに内蔵したコイルバネの初巻きが調整可能であり、スクリーンの開閉操作性や収納具合などに優れたスクリーン装置を提供することを課題としている。
【課題を解決するための手段】
【００１０】
本発明は、上記の課題を解決するために、以下の特徴を有している。
【００１１】
第１の発明は、横方向に開閉するスクリーンと、スクリーンの左右いずれかの一端が取り付けられ、内蔵するコイルバネの弾性力によって回転し、外周にスクリーンを巻き取るローラーパイプと、所定位置に固定されるローラーパイプに対してスクリーンの開閉方向にスライド移動可能であり、ローラーパイプに取り付けられた一端と反対側に位置するスクリーンの一端が取り付けられるスクリーン取付枠部と、スクリーンの上端付近に配設された上スライドガイド枠部およびスクリーンの下端付近に配設された下スライドガイド枠部とを備え、上スライドガイド枠部は、対向配置された一対の側壁部および両側壁部を相互に繋ぐ架橋部を有する第１の剛性ユニットの複数が、隣り合う２つの間で回動自在に連結されて形成され、下スライドガイド枠部は、対向配置された一対の側壁部および両側壁部を相互に繋ぐ架橋部を有する第２の剛性ユニットの複数が、隣り合う２つの間で回動自在に連結されて形成され、上スライドガイド枠部および下スライドガイド枠部はともに、屈曲性を有し、一端が自由端とされてスクリーン取付枠部内に収納および引き出し可能とされる一方、スクリーン取付枠部のスライド移動にともなってスクリーン取付枠部から引き出されたときに、スクリーン取付枠部から引き出された部分は直線性を保持するスクリーン装置であって、ローラーパイプは、コイルバネが巻回される回転軸を内蔵し、かつ、回転軸の下端に接続されたステーターに対して回転自在に配設されたローテーターに接続され、回転自在とされて収納枠内に収納され、ステーターは、放射状に配置された複数の爪を有し、収納枠の下端に着脱自在に配設されたキャップ部材の下面部に、ステーターの爪に対応して放射状に配置された保持部が配設され、保持部は、内部に爪を受け入れる保持空間を有し、保持空間は、爪を受け入れる方向の一端が外方に開放され、他端は閉鎖されていることを特徴としている。
【００１２】
第２の発明は、上記第１の発明の特徴において、第１の剛性ユニットの大きさが第２の剛性ユニットの大きさよりも小さく、上スライドガイド枠部と下スライドガイド枠部がスクリーン取付枠部内に収納されるとき、第１の剛性ユニットの側壁部が第２の剛性ユニットの側壁部の間の内側に入り込み、上スライドガイド枠部がスクリーン取付枠部内で下スライドガイド枠部と交差することを特徴としている。
【００１３】
第３の発明は、上記第１または第２の発明の特徴において、キャップ部材には、下スライドガイド枠部を連結する固定部が配設され、固定部は、下スライドガイド枠部を形成する第２の剛性ユニットに対応し、対向配置された一対の側壁部および両側壁部を相互に繋ぐ架橋部を有していることを特徴としている。
【発明の効果】
【００１４】
上記第１の発明によれば、回転軸の下端に接続されたステーターを回転させることによって、回転軸に巻回されたコイルバネをねじり、または戻すことができ、コイルバネに発現させる弾性力を調整することができる。このため、製造工場においてあらかじめコイルバネに加えられた初巻きを施工現場において調整することができ、スクリーンの大きさ、構造、形状などに応じた最適な大きさの弾性力をコイルバネに発現させることができる。このような弾性力の調整は、製造工場において初巻きの微調整として行うこともできる。調整後、ステーターの爪が、キャップ部材の下面部に配設された保持部の内部の保持空間に係止されるため、コイルバネは、調整された状態に安定に保持される。スクリーンの開閉操作性や収納具合などに優れたスクリーン装置が提供される。
【００１５】
上記第２の発明によれば、上記第１の発明の効果に加え、大きい方の第２の剛性ユニットから形成された下スライドガイド枠部がスクリーン取付枠部内に収納可能とされているので、小さい方の第１の剛性ユニットから形成された上スライドガイド枠部は、スクリーン取付枠部との間に空間のゆとりを持ってスクリーン取付枠部内に収納される。このため、ドライバーなどの工具をスクリーン取付枠部の内部に差し込み、第２の剛性ユニット間の連結を解除することができる。スクリーン装置の丈詰めの際には、切断側に位置する上スライドガイド枠部をスクリーン取付枠部の内部から取り出すことができ、また、その取出作業は、上スライドガイド枠部の任意の位置において行うことができ、容易である。したがって、スクリーン装置の丈詰め作業が容易となる。
【００１６】
上記第３の発明によれば、上記第１または第２の発明の効果に加え、キャップ部材に配設された固定部は、下スライドガイド枠部を形成する第２の剛性ユニットに対応しているので、屈曲性および直線性の保持を可能にしつつ、下スライドガイド枠部をローラーパイプ側に容易に固定することができる。
【図面の簡単な説明】
【００１７】
【図１】本発明のスクリーン装置の一実施形態を示した縦断面図である。
【図２】図１に示したスクリーン装置の横断面図である。
【図３】＜ａ＞＜ｂ＞は、それぞれ、図１に示したスクリーン装置の上スライドガイド枠部および下スライドガイド枠部をスクリーン取付枠部における収納状態として示した要部断面図である。
【図４】図３に示した上スライドガイド枠部を第１の剛性ユニットの連結およびその解除とともに示した要部平面図である。
【図５】図１に示したスクリーン装置に配設されたローラーパイプにおけるコイルバネの周辺を示した要部縦断面図である。
【図６】同じくローラーパイプにおけるコイルバネの周辺を示した、図５に対応する要部斜視図である。
【図７】＜ａ＞＜ｂ＞は、それぞれ、キャップ部材およびステーターを示した下面図である。
【発明を実施するための形態】
【００１８】
上記のとおり、図１、２は、それぞれ、本発明のスクリーン装置の一実施形態を示した縦断面図、横断面図である。また、図３＜ａ＞＜ｂ＞は、それぞれ、図１に示したスクリーン装置の上スライドガイド枠部および下スライドガイド枠部をスクリーン取付枠部における収納状態として示した要部断面図であり、図４は、図３に示した上スライドガイド枠部を第１の剛性ユニットの連結およびその解除とともに示した要部平面図である。
【００１９】
スクリーン装置１は、横方向に開閉するスクリーン２としてネット２ａを備えている。スクリーン２は、織物、編物などの布地から形成されたものであり、遮光性を有するものや防虫網として使用可能なものなど、必要とされる特性に応じて適宜選択されるものである。本実施形態では、防虫網として適用されるネット２ａが採用されている。また、ネット２ａを含め、スクリーン２の形状には特に制限はなく、プリーツなどを必要に応じて付けることが可能である。
【００２０】
スクリーン２の右端は、たとえば建物において矩形状に形成された開口部の縦方向に延びる右側の額縁Ａに固定される、縦置きに配置されたローラーパイプ３に取り付けられている。
【００２１】
ローラーパイプ３は、略円筒状の中空な本体３ａと、本体３ａがその下端部において接続されている軸受４とを備えている。本体３ａの内部には回転軸５が配設されており、回転軸５は、軸受４からローラーパイプ３の高さ方向の途中まで延びている。また、本体３ａにはコイルバネ６が内蔵され、コイルバネ６は、回転軸５の周りに配設されている。コイルバネ６には、ねじられたときに弾性力が蓄積され、蓄積された弾性力が開放されるとき、本体３ａが回転軸５を中心として自動的に回転する。このとき、ローラーパイプ３に一端が取り付けられたスクリーン２は、本体３ａの外周に巻き取られる。巻き取られたスクリーン２を閉める方向に引き出すと、ローラーパイプ３の本体３ａは、上記と反対方向に回転し、コイルバネ６がねじられ、弾性力が蓄積される。
【００２２】
スクリーン２の左右両端部には、縦方向に延びる長片状の固定部材７が配設されている。ローラーパイプ３の本体３ａには、縦方向に延びるスロット８が形成されており、スロット８は、本体３ａの外側方に開放されている。固定部材７がスロット８に嵌挿されることによって、スクリーン２は、その右端においてローラーパイプ３に取り付けられる。なお、スクリーン２とローラーパイプ３の両上端は、図１図中に矢印Ｘで示したように、同一位置に揃えて配置されている。
【００２３】
また、ローラーパイプ３は、中空な収納枠９の内部に収納され、収納枠９が、建物の開口部の右側の額縁Ａに取り付けられることによって固定されている。
【００２４】
スクリーン２の左端は、ローラーパイプ３に対してスクリーン２の開閉方向にスライド移動可能とされたスクリーン取付枠部１０に取り付けられている。スクリーン取付枠部１０は、矩形断面を有する角筒状の中空な本体１０ａと、ローラーパイプ３側に位置し、右側方に突出するスクリーン取付部１０ｂとを備え、縦置きに配置されている。スクリーン取付部１０ｂは、略コ字型の断面形状を有し、右側方に開放されている。また、スクリーン取付部１０ｂには、ローラーパイプ３に対向する内側面部にスロット１１が形成されている。スクリーン２は、その左端部に配設された固定部材７がスロット１１に嵌挿されてスクリーン取付枠部１０に取り付けられる。建物の開口部の縦方向に延びる左側の額縁Ｂには、戸当り枠１２が配設され、スクリーン取付枠部１０は、戸当り枠１２と収納枠９の間を横方向にスライド移動可能とされている。スクリーン２は、スクリーン取付枠部１０のそのようなスライド移動によって開閉可能となっている。
【００２５】
また、スクリーン装置１では、スクリーン取付枠部１０のスライド移動がスムーズに実現されるように、たとえば床面などに下レール１３が配設され、建物の開口部の横方向に延びる上側の額縁に上レール１４が配設されている。下レール１３は、たとえば細長い棒状の形状を有するものとして形成することができる。上レール１４は、たとえば断面コ字型の形状を有する枠として形成することができる。この場合、上レール１４は、スクリーン取付枠部１０、スクリーン２およびローラーパイプ３の上端部を、スクリーン装置１の表裏両側から覆い隠すことができ、スクリーン装置１の見栄えの向上にも寄与する。
【００２６】
スクリーン２を開閉する際には、操作者は、スクリーン取付枠部１０に手を携えてスクリーン取付枠部１０を横方向にスライドさせることができ、スクリーン取付枠部１０は、下レール１３によって内側よりガイドされるとともに、上レール１４によって外側よりガイドされ、スムーズに建物の開口部を横方向にスライド移動する。スクリーン取付枠部１０には、その前面部に、また、必要に応じて背面部にも取っ手を設けることができ、操作者による開閉操作を容易とすることができる。
【００２７】
また、スクリーン装置１では、スクリーン２の上端付近に上スライドガイド枠部１５が配設され、スクリーン２の下端付近に下スライドガイド枠部１６が配設されている。上スライドガイド枠部１５と下スライドガイド枠部１６はともに、スクリーン取付枠部１０をローラーパイプ３に対して平行に配置するとともに、ローラーパイプ３に対する平行な位置関係をスクリーン取付枠部１０がスライド移動する際にも安定に保持し、スクリーン２の開閉を確実に行わせるものである。このような上スライドガイド枠部１５および下スライドガイド枠部１６には、本出願人の特許第３４０３６５２号公報および特許第３３２３４６１号公報に開示しているスライドガイド枠部が適用されている。
【００２８】
すなわち、下スライドガイド枠部１６は、第２の剛性ユニット１７の複数が、隣り合う２つの間で回動自在に連結されて形成されている。第２の剛性ユニット１７は、対向配置された一対の側壁部１８と、側壁部１８の上端部寄りの位置でかつ略中央部から右端部にかけて両側壁部１８を相互に繋ぐ架橋部１９とを有している。側壁部１８には、左端部に、外方に突出する突起２０が配設され、右端部に、突起２０に係合可能な、側壁部１８の表裏を貫通する貫通穴２１が形成されている。このような第２の剛性ユニット１７の複数は、隣り合う２つの間において突起２０を貫通穴２１に側壁部１８の裏面側から差し込むことによって連結され、下スライドガイド枠部１６を形成する。また、突起２０は貫通穴２１に係合しているので、隣り合う２つの間で第２の剛性ユニット１７は互いに回動自在であり、この回動にともない下スライドガイド枠部１６は屈曲性を有している。
【００２９】
また、第２の剛性ユニット１７では、突起２０の左側において側壁部１８から外方に突出する小突起２２が配設されているとともに、貫通穴２１の左側に略三日月状の長穴２３が、側壁部１８の表裏を貫通して形成されている。長穴２３は、小突起２２の受け入れを可能としており、第２の剛性ユニット１７の連結の際に、長穴２３の内部に小突起２２が差し込まれる。このように小突起２２が長穴２３に差し込まれているので、隣り合う２つの第２の剛性ユニット１７の間では、小突起２２が長穴２３の一端に接触するとき、第２の剛性ユニット１７の回動が制止される。このため、下スライドガイド枠部１６は、直線性を保持することができる。
【００３０】
上スライドガイド枠部１５も、基本的に下スライドガイド枠部１６と同様に構成されている。すなわち、第１の剛性ユニット２４は、対向配置されて一対の側壁部１８および両側壁部１８を相互に繋ぐ架橋部１９を有し、側壁部１８には、突起２０が配設され、また、貫通穴２１が形成されている。上スライドガイド枠部１５は、第１の剛性ユニット２４の複数が、隣り合う２つの間において突起２０を貫通穴２１に差し込むことによって連結されて形成されている。上スライドガイド枠部１５は、下スライドガイド枠部１６と同様に屈曲性を有している。
【００３１】
一方、上スライドガイド枠部１５を形成する第１の剛性ユニット２４では、小突起２２および貫通穴２３が省略されている。その代わりに第１の剛性ユニット２４では、架橋部１９の右端縁部に、表面が切り欠かれて段差２５が形成されている。隣り合う２つの第１の剛性ユニット２４の間では、一方の第１の剛性ユニット２４の架橋部１９の左端部が、他方の第１の剛性ユニット２４の架橋部１９の右端縁部に形成された段差２５に重なり合うことができるようにされており、重合したときに第１の剛性ユニット２４の回動が制止される。このため、上スライドガイド枠部１５でも、下スライドガイド枠部１６と同様に、直線性の保持が可能となっている。
【００３２】
なお、上スライドガイド枠部１５は、下方への屈曲が可能とされ、下スライドガイド枠部１６は、上方への屈曲が可能とされている。
【００３３】
このような上スライドガイド枠部１５、下スライドガイド枠部１６を形成する第１の剛性ユニット２４、第２の剛性ユニット１７はともに、樹脂、金属などの成形性の良好な材料から形成することができる。また、樹脂や金属から形成される場合、図４に示したように、右側の側壁部１８は、弾性により外側に押し広げることが可能であり、しかも、元の状態に自発的に復元可能である。このため、第１の剛性ユニット２４および第２の剛性１７の複数の連結およびその解除は容易となる。
【００３４】
また、上スライドガイド枠部１５と下スライドガイド枠部１６はともに、右端が固定端とされ、ローラーパイプ３側に固定されている。一方、左端は自由端２６とされ、スクリーン取付枠部１０の本体１０ａの内部に配置されており、上スライドガイド枠部１５および下スライドガイド枠部１６は、スクリーン取付枠部１０の本体１０ａの内部に収納および引き出し可能とされている。
【００３５】
自由端２６では、上スライドガイド枠部１５と下スライドガイド枠部１６は互いに、紐、ワイヤーなどの線材から適宜選択される張力部材２７によって連結されている。上スライドガイド枠部１５と下スライドガイド枠部１６は、張力部材２７による連結によって、スクリーン取付枠部１０のスライド移動にともなう本体１０ａの内外への移動量がほぼ等しくなり、スクリーン取付枠部１０のローラーパイプ３に対する平行移動をより確実にする。張力部材２７は、スクリーン取付枠部１０の本体１０ａの内部でループを形成しており、スクリーン取付枠部１０の上下両側で折り返されている。
【００３６】
張力部材２７が折り返される、スクリーン取付枠部１０の内部の上下２箇所には、折返部材２８が配設されている。折返部材２８は、張力部材２７の掛け回しが可能な鼓状の曲面を有するプーリー２８ａなどを含むものとして構成することができる。
【００３７】
さらに、スクリーン取付枠部１０では、上スライドガイド枠部１５および下スライドガイド枠部１６が進退する上下両端部に、上スライドガイド枠部１５および下スライドガイド枠部１６の屈曲をガイドするガイド面２９を内側に有するガイドブロック３０が配設されている。ガイドブロック３０は、スライドガイド枠部１０の本体１０ａの上下両端に接続されている。上側のガイドブロック３０では、ガイド面２９は、右側端から下端にかけて凹状に湾曲し、下側のガイドブロック３０では、ガイド面２９は、右側端から上端にかけて凹状に湾曲している。また、下側のガイドブロック３０には、スクリーン取付枠部１０の下側で張力部材２７を折り返す折返部材２８が取り付けられている。一方、上側の折返部材２８は、スクリーン取付枠部１０の本体１０ａの上端よりやや下方に取り付けられている。
【００３８】
上スライド枠部１５および下スライドガイド枠部１６は、スクリーン取付枠部１０の横方向のスライド移動にともなってスクリーン取付枠部１０の本体１０ａの内部に収納され、また、引き出される。スクリーン取付枠部１０から引き出された部分は、上記のとおりの第１剛性ユニット２４および第２の剛性ユニット１７によって直線性を保持する。
【００３９】
なお、下スライドガイド枠部１６は、スクリーン取付枠部１０の下方から本体１０ａの内部に収納され、収納方向が重力と反対向きとなるので、自由端２６に錘３１を接続している。錘３１は、その自重を下スライドガイド枠部１６における下から立ち上がった部分に作用させ、下スライドガイド枠部１６がスクリーン取付枠部１０から引き出されるときは、下スライドガイド枠部１６を適度に押し出す。また、下スライドガイド枠部１６がスクリーン取付枠部１０の本体１０ａの内部に収納されるときは、下スライドガイド枠部１６の進入を適度に抑制する。このため、下スライドガイド枠部１６のスクリーン取付枠部１０の本体１０ａの内部への収納および引き出しが、スムーズかつ安定に実現される。
【００４０】
図５は、スクリーン装置１に配設されたローラーパイプ３におけるコイルバネ６の周辺を示した要部縦断面図である。図６は、同じくローラーパイプ３におけるコイルバネ６の周辺を示した、図５に対応する要部斜視図である。図７＜ａ＞＜ｂ＞は、それぞれ、キャップ部材およびステーターを示した下面図である。
【００４１】
スクリーン装置１では、軸受４は、回転軸５の下端に接続されたステーター５１と、ステーター５１の外周に配置され、ステーター５１に対し回転自在に配設されたローテーター５２とを備えている。コイルバネ６の下端部はステーター５１に接続されている。コイルバネ６の上端部は、ピロー７１に固定されている。ピロー７１は、ローラーパイプ３の本体３ａに対して長さ方向に移動可能とされる一方、本体３ａとの相対的な回転が不能とされ、本体３ａとともに回転が可能とされている。
【００４２】
ローテーター５２は、図１に示したローラーパイプ３の本体３ａの下端部に内側から係合して本体３ａの下端に装着される。このため、ローラーパイプ３の本体３ａは、回転軸５の周りを回転自在であり、回転軸５に巻回されたコイルバネ６に蓄積された弾性力が開放されるときに、本体３ａは、上記のとおり、回転軸５を中心として自動的に回転し、スクリーン２を外周に巻き取ることができる。
【００４３】
ステーター５１は、下端部に円板状の本体５１ａを有し、略円弧状の爪５３が、本体５１ａの外周面から外方に突出して配設されている。爪５３は３つ配設されており、３つの爪５３は、本体５１ａに対して放射状に配置されている。また、ステーター５１には、本体５１ａの中心部に下面から上方に向かって六角穴５４が形成されている。六角穴５４は六角レンチの挿入を可能にした穴であり、形状は六角レンチの外形に対応している。
【００４４】
また、スクリーン装置１では、ローラーパイプ３を収納する収納枠９の下端部に、その内側から係合して収納枠９の下端に装着されるキャップ部材５５が配設されている。キャップ部材５５は、収納枠９の外形形状に対応した大きさおよび形状を有する本体５５ａを備えている。本体５５ａは、その中央部に上下を貫通する開口５６が形成されている。回転軸５、コイルバネ６、ステーター５１の回転軸５との接続部は、開口５６の内側を挿通可能とされている。一方、ローテーター５２およびローラーパイプ３の本体３ａは、開口５６を挿通することはできない。開口５６は、これらを可能とする大きさとしてキャップ部材５５の本体５５ａに形成されている。
【００４５】
また、キャップ部材５５の本体５５ａでは、開口５６の周辺の下面部に、ステーター５１の爪５３に対応して放射状に３つ配置された保持部５７が配設されている。保持部５７は、内部に爪５３を受け入れる保持空間５８を有する、袋状の形状を有している。保持空間５８は、爪５３を受け入れる方向の一端５８ａが外方に開放され、他端５８ｂは閉鎖されている。このような保持部５７の形状は、ステーター５１の爪５３の外形形状に対応している。
【００４６】
さらに、本体５５ａの開口５６の周辺の下面部では、保持部５７に隣接して略円弧状の円弧溝５９が形成されている。円弧溝５９も、ステーター５１の爪５３の外形形状に対応した形状を有している。そして、円弧溝５９の内側には円形の円溝６０が形成されている。円溝６０の大きさおよび形状は、ステーター５１の本体５１ａの外形形状に対応している。
【００４７】
コイルバネ６は、ステーター５１の本体５１ａに形成された六角穴５４に六角レンチを挿入し、ステーター５１を左右いずれかの方向に回転させることによって、初巻きにさらにねじりが加えられる。反対方向にステーター５１を回転させると、コイルバネ６のねじりが戻り、緩めることができる。したがって、ステーター５１の回転によってコイルバネ６の初巻きを調整することができる。
【００４８】
なお、コイルバネ６の初巻きの調整をするに当っては、ステーター５１とともに、コイルバネ６および回転軸５をキャップ部材５５から開口５６を通じて下方に引き出す。この状態において、六角レンチによるステーター５１の上記のとおりの回転が可能となる。
【００４９】
調整後は、回転軸５およびコイルバネ６をローラーパイプ３の本体３ａの内部に収納するが、その際に、ステーター５１の爪５３を保持空間５８に挿入することによって、調整した状態に保持される。キャップ部材５５の本体５５ａの下面部には、上記のとおり、円弧溝５９と円溝６０が形成されているので、ステーター５１の爪５３を円弧溝５９に、本体５１ａを円溝６０に挿入し、ステーター５１を左右いずれかの方向に若干回動させる。保持部５７の保持空間５８は、一端５８ａにおいて外方に開放されているので、ステーター５１の回動にともない、爪５３が、保持空間５８の外方に開放された一端５８ａから保持空間５８に進入する。そして、爪５３が保持空間５８の他端５８ｂに接触したところで、ステーター５１の回動が停止する。ステーター５１の爪５３が保持部５７の保持空間５８に係止され、コイルバネ６は、初巻きが調整された状態に保持される。
【００５０】
このように、スクリーン装置１では、回転軸５の下端に接続されたステーター５１を回転させることによって、回転軸５に巻回されたコイルバネ６をねじり、または戻すことができ、コイルバネ６に発現させる弾性力を調整することができる。このため、製造工場においてあらかじめコイルバネ６に加えられた初巻きを施工現場において調整することができ、スクリーン２の大きさ、構造、形状などに応じた最適な大きさの弾性力をコイルバネ６に発現させることができる。このような弾性力の調整は、製造工場において初巻きの微調整として行うこともできる。調整後は、上記のとおり、ステーター５１の爪５３が、キャップ部材５５の下面部に配設された保持部５７の内部の保持空間５８に係止されるため、コイルバネ６は、調整された状態に安定に保持される。スクリーン装置１は、スクリーン２の開閉操作性や収納具合などに優れたものとなっている。
【００５１】
さらに、スクリーン装置１では、キャップ部材５５の本体５５ａの左端に、下スライドガイド枠部１６の固定部５５ｂが配設されている。固定部５５ｂは、下スライドガイド枠部１６の第２の剛性ユニット１７の左側半分と同様な構成を有している。
【００５２】
すなわち、固定部５５ｂは、対向配置された一対の側壁部６１と、側壁部６１の上端部寄りの位置で両側壁部６１を相互に繋ぐ架橋部６２とを有している。側壁部６１には、左端部に、外方に突出する突起６３が配設され、突起６３の左側において側壁部６１から外方に突出する小突起６４が配設されている。
【００５３】
このため、下スライドガイド枠部１６は、その右端に位置する第２の剛性ユニット１７の貫通穴２１に、側壁部１８の裏面側から固定部５５ｂの突起６３を差し込むことによって、キャップ部材５５の固定部５５ｂに連結される。また、このような連結にともなって、キャップ部材５５の固定部５５ｂの小突起６４が、下スライドガイド枠部１６の右端に位置する第２の剛性ユニット１７の長穴２３に差し込まれる。
【００５４】
このようにして、下スライドガイド枠部１６は、右端が固定端とされ、ローラーパイプ３側の収納枠９に固定される。下スライドガイド枠部１６は、その右端においても、第２の剛性ユニット１７が、小突起６４が長穴２３の両端に接触する範囲において回動自在であり、屈曲性を有し、しかも、直線性を保持することができる。また、キャップ部材５５に配設された固定部５５ｂによって、下スライドガイド枠部１６のローラーパイプ３側の固定を容易に実現することができる。
【００５５】
なお、スクリーン装置１では、組立時にローラーパイプ３がすでに収納枠９の内部に収納されているため、スクリーン２をスクリーン取付枠部１０に取り付ける際に、若干スクリーン２をローラーパイプ３から引き出す必要がある。このときのスクリーン２の引出し代はわずかであり、コイルバネ６に弾性力はほとんど蓄積されない。したがって、引出し代分のスクリーン２をローラーパイプ３の外周に巻き取っておかないと、設置した後のスクリーン装置１においてスクリーン２が完全に巻き取られないという閉鎖状態の不良が発生するおそれがある。
【００５６】
そこで、スクリーン装置１では、図１に示したように、ローラーパイプ３の本体３ａの上端に上端キャップ６５が配設され、上端キャップ６５には、その上端に、ドライバーなどの工具を差し込むことのできる差込溝６６が形成されている。上端キャップ６５は、ローラーパイプ３の本体３ａの上端部に内側から係合して本体３ａの上端に着脱自在に装着される。
【００５７】
上記のとおり、スクリーン取付枠部１０へスクリーン２を取り付けた後、ドライバーなどの工具を差込溝６６に挿入し、ローラーパイプ３をスクリーン２を巻き取る方向に回動させることによって、スクリーン２を完全にローラーパイプ３の外周に巻き取ることができる。
【００５８】
そして、上スライドガイド枠部１５および下スライドガイド枠部１６では、第１の剛性ユニット２４と第２の剛性ユニット１７の大きさが相違している。
【００５９】
図３＜ａ＞に示したように、上スライドガイド枠部１５を形成する第１の剛性ユニット２４の大きさは、横幅、奥行および高さの全ての寸法において、下スライドガイド枠部１６を形成する第２の剛性ユニット１７の大きさよりも小さくなっている。このため、スクリーン装置１では、上スライドガイド枠部１５および下スライドガイド枠部１６が、スクリーン取付枠部１０の本体１０ａの内部に収納されるとき、第１の剛性ユニット２４の側壁部１８が第２の剛性１７の側壁部１８の間の内側に入り込み、上スライドガイド枠部１５が、スクリーン取付枠部１０の本体１０ａの内部において下スライドガイド枠部１６と交差する。このような交差は、丈に対する幅の比が大きい建物の開口部などへのスクリーン装置１の適用を可能とし、建物の開口部の寸法への対応を柔軟にする。
【００６０】
また、スクリーン取付枠部１０の本体１０ａでは、その内部に、大きい方の第２の剛性ユニット１７から形成された下スライドガイド枠部１６が収納可能とされているため、図３＜ｂ＞に示したように、小さい方の第１の剛性ユニット２４から形成された上スライドガイド枠部１５は、スクリーン取付枠部１０の本体１０ａとの間に空間のゆとり３２を持ってスクリーン取付枠部１０の本体１０ａの内部に収納される。このため、ドライバーなどの工具をスクリーン取付枠部１０の本体１０ａの内部に差し込み、第１の剛性ユニット２４間の連結を解除することが可能となる。
【００６１】
スクリーン装置１は、上記のとおり、施工現場などにおいて建物の開口部の大きさに応じて丈寸法の調整が必要とされる。この場合の丈詰め作業では、スクリーン取付枠部１０、スクリーン２およびローラーパイプ３の上端部を切断するが、その際に、スクリーン２の上端付近に上スライドガイド枠部１５が配設されていると、上スライドガイド枠部１５が丈詰め作業の支障となる。スクリーン装置１では、上記のとおり、上スライドガイド枠部１５が、スクリーン取付枠部１０の本体１０ａとの間に空間のゆとり３２を持ってスクリーン取付枠部１０の本体１０ａの内部に収納されるので、丈詰めの際には、第１の剛性ユニット２４間の連結を解除して、上スライドガイド枠部１５をスクリーン取付枠部１０の本体１０ａの内部から取り出すことができる。
【００６２】
スクリーン取付枠部１０の本体１０ａでは、戸当り枠１２に対向する前面部に開口３３が形成され、本体１０ａの内部は外方に開放可能とされている。開口３３には、カバー３４が取外自在として本体１０ａの前面部に装着されている。したがって、カバー３４を取り外すことによって、ドライバーなどの工具を、開口３３を通じて本体１０ａの内部に差し込むことができる。また、工具の差し込みは、スクリーン取付枠部１０の本体１０ａの長さ以内の任意の位置において行うことができる。
【００６３】
このように、スクリーン装置１では、施工現場などでの丈寸法の切り詰めによる調整が必要とされるときに、上スライドガイド枠部１５を、第１の剛性ユニット２４間の連結解除によってスクリーン取付枠部１０から取り出すことができ、しかもその取り出しは、スクリーン取付枠部１０の本体１０ａの長さ以内の任意の位置で行うことができ、容易である。スクリーン装置１の丈詰め作業が容易となっている。
【００６４】
また、上記のとおり、スクリーン装置１では、張力部材２７をスクリーン取付枠部１０の上側で折り返す折返部材２８は、スクリーン取付枠部１０の本体１０ａの上端よりやや下方に取り付けられているので、上側の折返部材２８は、スクリーン装置１の切断位置よりも下側に配置することができる。このため、張力部材２７を折返部材２８から取り外すことなく、スクリーン取付枠部１０の上端側の切断が可能となっている。張力部材２７がスクリーン装置１の丈詰めの支障となることはなく、また、上側の折返部材２８を一旦取り外し、スクリーン取付枠部１０に付け直す必要もない。スクリーン装置１の丈詰め作業は容易に行うことができる。
【００６５】
なお、丈詰め後の上スライドガイド枠部１５の組み立ておよびスクリーン取付枠部１０の本体１０ａの内部への取付けは、取出作業の逆の手順で容易に行うことができる。
【００６６】
また、上記のとおりの第１の剛性ユニット２４間の連結解除を可能にする、上スライドガイド枠部１５の下スライドガイド枠部１６との交差は、たとえば、スクリーン取付枠部１０の上端部に配設される上側のガイドブロック３０のガイド面２９を、下側に配設されるガイドブロック３０のガイド面２９よりもスクリーン取付部１０ｂ側に配置することによって容易に実現可能である。
【００６７】
さらに、スクリーン装置１では、上記のとおり、スクリーン２とローラーパイプ３の上端が同一位置に配置されているので、ローラーパイプ３の本体３ａをスクリーン２とともに一度に切断することができる。上記のとおり、ローラーパイプ３の本体３ａにおいて上端側の部分には回転軸５は存在しない。単に中空なパイプ状であるため、ローラーパイプ３の本体３ａの上端側は切断可能である。
【００６８】
なお、ローラーパイプ３の本体３ａを切断する際には、上端キャップ６５は取り外すことができる。また、上端キャップ６５は、切断後のローラーパイプ３の本体３ａの上端に着脱自在として挿着される。
【００６９】
また、スクリーン取付枠部１０の上端をスクリーン２の上端と揃えることによって、スクリーン取付枠部１０をも一度に切断することが可能となる。このように、スクリーン装置１の丈詰め作業は一層容易となっている。
【００７０】
以上、本発明について実施形態に沿って説明したが、本発明は、実施形態によって制限されるものではない。各部位の構成および構造の詳細については、各部位が果たすべき機能などを考慮して種々のものを適宜選択することができる。
【符号の説明】
【００７１】
１  スクリーン装置
２  スクリーン
３  ローラーパイプ
５  回転軸
６  コイルバネ
９  収納枠
１０  スクリーン取付枠部
１５  上スライドガイド枠部
１６  下スライドガイド枠部
１７  第２の剛性ユニット
１８  側壁部
１９  架橋部
２４  第１の剛性ユニット
５１  ステーター
５２  ローテーター
５３  爪
５５  キャップ部材
５５ｂ  固定部
５７  保持部
５８  保持空間
５８ａ  保持空間の一端
５８ｂ  保持空間の他端
６１  側壁部
６２  架橋部
【図１】
2011080273.tif 000003
【図２】
2011080273.tif 000004
【図３】
2011080273.tif 000005
【図４】
2011080273.tif 000006
【図５】
2011080273.tif 000007
【図６】
2011080273.tif 000008
【図７】
2011080273.tif 000009
【手続補正書】
【提出日】平成21年10月9日(2009.10.9)
【手続補正１】
【補正対象書類名】図面
【補正対象項目名】全図
【補正方法】変更
【補正の内容】
【図２】
2011080273.tif 000010
【図３】
2011080273.tif 000011
【図４】
2011080273.tif 000012
【図５】
2011080273.tif 000013
【図６】
2011080273.tif 000014
【図７】
2011080273.tif 000015
【図１】
2011080273.tif 000016